(57)【要約】【課題】本考案はトレーディングカード、カードスリーブ保護して滑りにくく、べたつかない凹凸付きカードスリーブを得ることにある。【解決手段】トレーディングカード、トレーディングの入ったカードスリーブのいずれかを保護して表示することが可能な透明性を有するカードスリーブであって、該カードスリーブの面の少なくとも外側の１面に凹凸層を有することを特徴とする凹凸付きカードスリーブ。【選択図】図２
0003178647.tif 000002
【実用新案登録請求の範囲】
【請求項１】
トレーディングカード、トレーディングカードの入った絵柄等カードスリーブのいずれかを保護して表示することが可能な透明性を有するカードスリーブであって、該カードスリーブの面の少なくとも外側の１面に凹凸層を有することを特徴とする凹凸付きカードスリーブ。
【請求項２】
上記凹凸層は１部を非透明凹凸層としたことを特徴とする請求項１トレーディングカード、トレーディングカードの入った絵柄等カードスリーブのいずれかを保護して表示することが可能な透明性を有するカードスリーブであって、該カードスリーブの面の少なくとも外側の１面に凹凸層を有することを特徴とする凹凸付きカードスリーブ。
【考案の詳細な説明】
【技術分野】
【０００１】本考案はトレーディングカード、カードスリーブを保護してべたつきをなくすことが可能なカードスリーブであって、トレーディングカード等の表示に興を有するカード類のスリーブに関する。
【背景技術】
【０００２】従来、カードスリーブはトレーディングカード（トレカと略称される場合もある）と呼ばれるものが市場に提供されている。このトレーディングカードとは、漫画やアニメーション等の主人公を描いた絵柄が印刷されており、これらのうち特に見栄えの良いものとして、鏡面印刷を施したカードなどの金属的な輝きを表面に有するものなどがある。
トレーディングカードゲームは自由に、あるいはルールに則して組み合わせたトレーディングカードの束（デッキと略称される場合もある）を持ち寄り、２人以上で対戦を行うゲームである。【０００３】しかしながら、これらの金属的な輝きを表面に有するトレーディングカードの多くは通常のトレーディングカードよりも厚くなり、また湿度や保存状態によってはトレーディングカードが反ったり曲がったりすることがありカードスリーブに入れる事が多い。【０００４】  また、これらのトレーディングカードのいくつかはカードの何種類かを用いて対戦ゲームができるようにした、いわゆるカードゲームとして使用するものがある。これらのカードゲームの多くはトレーディングカードの表面にトレーディングゲームに関する各種のデータを印刷し、トレーディングカードの背面は一様な模様の印刷を施して、裏面からはトレーディングカードの種類が分からないようにしたものとなっている。
これらのトレーディングカードの一部に金属的な輝きを表面に有するトレーディングカードがある場合は、トレーディングカード裏面からでもトレーディングカードの種類が分かってしまう場合があり、これらのトレーディングカードが痛まない様に保護して表示することが可能なカードスリーブが知られている。これは、トレーディングカードよりやや大きく、１端が開いてトレーディングカードを中に収納可能としており、フィルムに漫画やアニメーション等の主人公を描いた絵柄が印刷されているものや、軟質のフィルム、からなる袋状のものである。
【考案の概要】
【考案が解決しようとする課題】
【０００５】本考案は、トレーディングカード、カードスリーブを重ねると滑り落ち、カードスリーブが汗等で重なりゲーム上問題となる。以上のような従来の欠点に鑑み、カードスリーブを保護してべたつきをなくすことが可能なカードスリーブを提供する事を目的としている。
【課題を解決するための手段】
【０００６】本考案はこのような問題点を解決するためになされたものであり、その課題とするところは、トレーディングカード、カードスリーブを保護して滑りにくくべたつかないカードスリーブを提供することにある。【０００７】本考案は請求項１に記載のとおりトレーディングカード、トレーディングカードの入った絵柄等カードスリーブのいずれかを保護して表示することが可能な透明性を有するカードスリーブであって、該カードスリーブの面の少なくとも外側の１面に凹凸層を有することを特徴とする凹凸付きカードスリーブである。
又請求項２として、凹凸層は１部を非透明凹凸層としたことを特徴とする請求項１記載の凹凸付きカードスリーブである
上記目的を達成するために、本考案は、カードスリーブを保護してカードスリーブであって、該カードスリーブの透明な面の少なくとも一面に凹凸付きカードスリーブを構成している。【０００８】基材層としては例えば、ラミネートフィルム、ポリプロピィレンフィルム等が挙げられるが特にこれらに限定されるものではない。【０００９】本考案はこの課題を解決するため、トレーディングカード、カードスリーブを保護してカードスリーブであって、該カードスリーブの透明な面の少なくとも１面に凹凸付きカードスリーブである。【００１０】透明凹凸層としては、ポリカーボネート樹脂、ポリスチレン樹脂、ポリ塩化ビニル樹脂などの熱可塑性樹脂、不飽和ポリエステル樹脂、メラミン樹脂、エポキシ樹脂、ウレタン（メタ）アクリレート、ポリエステル（メタ）アクリレート、エポキシ（メタ）アクリレート、ポリオール（メタ）アクリレート、メラミン（メタ）アクリレート、トリアジン（メタ）アクリレートなどの熱硬化性樹脂或いはこれらの混合物、さらにはラジカル重合性不飽和基を有する熱成形性物質などが挙げられるが特にこれらに限定されるものではない。
凹凸層の手段は、エンボス、ケミカルマットなどが挙げられるが特にこれらに限定されるものではない。【００１１】本考案における、トレーディングカード背面にあたるカードリスーブの面であって、トレーディングカードゲーム等のゲーム上一様な不透明性を有することが好ましいが、特にこれに限定されるものではなく、透明なものであっても良いし、この面にも透明凸凹層を設けたものであっても良い。
【考案の効果】
【００１２】以上の説明から明らかなよういに、本考案にあたっては次の列拳する効果が得られる。
以上に示したように本考案の請求項１記載の考案により、カードスリーブを保護して滑りにくく、べたつかない作用効果を奏する。
【図面の簡単な説明】
【００１３】
【図１】本考案のカードスリーブの使用能様を示す斜視図である。
【図２】本考案のカードスリーブの使用能様を示す斜視図である。
【考案を実施するための形態】
【００１４】本考案を一実施例の図面に基づき詳細に説明する。
【実施例１】
【００１５】図１に本考案のカードスリーブの使用能様を示す斜視図を示す。トレーディングカード５を入れる開口部６、トレーディングカード５（６０ｍｍ×８７ｍｍ）を入れたカードスリーブ２（６４ｍｍ×９１ｍｍ）、カードスリーブ綴じ部３、とからなる。
図２にカードスリーブの使用能様を示す斜視図を示す。図の上面がカードの表示面であるとして、透明凹凸層を有するカードスリーブの表面４、トレーディングカードの裏面５、からなる。
本考案例では、トレーディングカード５（６０ｍｍ×８７ｍｍ）を入れたカードスリーブ２（６４ｍｍ×９１ｍｍ）としたが、（５０ｍｍ×１００ｍｍ）の範囲で、トレーディングカードの大きさに応じて上記の寸法を選べば良い。
トレーディングカード５、カードスリーブ１を入れて使用するものとする。
【産業上の利用可能性】
【００１６】本考案は凹凸付きカードスリーブを製造する産業で利用される。
【符号の説明】
【００１７】１カードスリーブ
２カードスリーブ（内）
３綴じ部
３ａ綴じ部
４エンボス表面
５トレーディングカード
６トレーディングカード開口部
【図１】
0003178647.tif 000003
【図２】
0003178647.tif 000004
【手続補正書】
【提出日】平成24年7月6日(2012.7.6)
【手続補正１】
【補正対象書類名】実用新案登録請求の範囲
【補正対象項目名】全文
【補正方法】変更
【補正の内容】
【実用新案登録請求の範囲】
【請求項１】
トレーディングカードの入ったカードスリーブの面の少なくとも外側の１面に凹凸層を有することを特徴とする凹凸付きカードスリーブ。
【請求項２】
上記凹凸層は１部を非透明凹凸層としたことを特徴とする請求項１記載の凹凸付きカードスリーブ。
【手続補正３】
【補正対象書類名】明細書
【補正対象項目名】全文
【補正方法】変更
【補正の内容】
【考案の詳細な説明】
【技術分野】
【０００１】本考案はトレーディングカード、カードスリーブを保護してべたつきをなくすことが可能なカードスリーブであって、トレーディングカード等の表示に興を有するカード類のスリーブに関する。
【背景技術】
【０００２】従来、カードスリーブはトレーディングカード（トレカと略称される場合もある）と呼ばれるものが市場に提供されている。このトレーディングカードとは、漫画やアニメーション等の主人公を描いた絵柄が印刷されており、これらのうち特に見栄えの良いものとして、鏡面印刷を施したカードなどの金属的な輝きを表面に有するものなどがある。
トレーディングカードゲームは自由に、あるいはルールに則して組み合わせたトレーディングカードの束（デッキと略称される場合もある）を持ち寄り、２人以上で対戦を行うゲームである。【０００３】しかしながら、これらの金属的な輝きを表面に有するトレーディングカードの多くは通常のトレーディングカードよりも厚くなり、また湿度や保存状態によってはトレーディングカードが反ったり曲がったりすることがありカードスリーブに入れる事が多い。【０００４】  また、これらのトレーディングカードのいくつかはカードの何種類かを用いて対戦ゲームができるようにした、いわゆるカードゲームとして使用するものがある。これらのカードゲームの多くはトレーディングカードの表面にトレーディングゲームに関する各種のデータを印刷し、トレーディングカードの背面は一様な模様の印刷を施して、裏面からはトレーディングカードの種類が分からないようにしたものとなっている。
これらのトレーディングカードの一部に金属的な輝きを表面に有するトレーディングカードがある場合は、トレーディングカード裏面からでもトレーディングカードの種類が分かってしまう場合があり、これらのトレーディングカードが痛まない様に保護して表示することが可能なカードスリーブが知られている。これは、トレーディングカードよりやや大きく、１端が開いてトレーディングカードを中に収納可能としており、フィルムに漫画やアニメーション等の主人公を描いた絵柄が印刷されているものや、軟質のフィルム、からなる袋状のものである。
【考案の概要】
【考案が解決しようとする課題】
【０００５】本考案は、トレーディングカード、カードスリーブを重ねると滑り落ち、カードスリーブが汗等で重なりゲーム上問題となる。以上のような従来の欠点に鑑み、カードスリーブを保護してべたつきをなくすことが可能なカードスリーブを提供する事を目的としている。
【課題を解決するための手段】
【０００６】本考案はこのような問題点を解決するためになされたものであり、その課題とするところは、トレーディングカード、カードスリーブを保護して滑りにくくべたつかないカードスリーブを提供することにある。【０００７】本考案は請求項１に記載のとおりトレーディングカードの入ったカードスリーブの面の少なくとも外側の１面に凹凸層を有することを特徴とする凹凸付きカードスリーブある。
又請求項２として、凹凸層は１部を非透明凹凸層としたことを特徴とする請求項１記載の凹凸付きカードスリーブである
上記目的を達成するために、本考案は、カードスリーブを保護してカードスリーブであって、該カードスリーブの透明な面の少なくとも一面に凹凸付きカードスリーブを構成している。【０００８】基材層としては例えば、ラミネートフィルム、ポリプロピィレンフィルム等が挙げられるが特にこれらに限定されるものではない。【０００９】本考案はこの課題を解決するため、トレーディングカード、カードスリーブを保護してカードスリーブであって、該カードスリーブの透明な面の少なくとも１面に凹凸付きカードスリーブである。【００１０】透明凹凸層としては、ポリカーボネート樹脂、ポリスチレン樹脂、ポリ塩化ビニル樹脂などの熱可塑性樹脂、不飽和ポリエステル樹脂、メラミン樹脂、エポキシ樹脂、ウレタン（メタ）アクリレート、ポリエステル（メタ）アクリレート、エポキシ（メタ）アクリレート、ポリオール（メタ）アクリレート、メラミン（メタ）アクリレート、トリアジン（メタ）アクリレートなどの熱硬化性樹脂或いはこれらの混合物、さらにはラジカル重合性不飽和基を有する熱成形性物質などが挙げられるが特にこれらに限定されるものではない。
凹凸層の手段は、エンボス、ケミカルマットなどが挙げられるが特にこれらに限定されるものではない。【００１１】本考案における、トレーディングカード背面にあたるカードリスーブの面であって、トレーディングカードゲーム等のゲーム上一様な不透明性を有することが好ましいが、特にこれに限定されるものではなく、透明なものであっても良いし、この面にも透明凸凹層を設けたものであっても良い。
【考案の効果】
【００１２】以上の説明から明らかなよういに、本考案にあたっては次の列拳する効果が得られる。
以上に示したように本考案の請求項１記載の考案により、カードスリーブを保護して滑りにくく、べたつかない作用効果を奏する。
【図面の簡単な説明】
【００１３】
【図１】本考案のカードスリーブの使用能様を示す斜視図である。
【図２】本考案のカードスリーブの使用能様を示す斜視図である。
【考案を実施するための形態】
【００１４】本考案を一実施例の図面に基づき詳細に説明する。
【実施例１】
【００１５】図１に本考案のカードスリーブの使用能様を示す斜視図を示す。トレーディングカード５を入れる開口部６、トレーディングカード５（６０ｍｍ×８７ｍｍ）を入れたカードスリーブ２（６４ｍｍ×９１ｍｍ）、カードスリーブ綴じ部３、とからなる。
図２にカードスリーブの使用能様を示す斜視図を示す。図の上面がカードの表示面であるとして、透明凹凸層を有するカードスリーブの表面４、トレーディングカードの裏面５、からなる。
本考案例では、トレーディングカード５（６０ｍｍ×８７ｍｍ）を入れたカードスリーブ２（６４ｍｍ×９１ｍｍ）としたが、（５０ｍｍ×１００ｍｍ）の範囲で、トレーディングカードの大きさに応じて上記の寸法を選べば良い。
トレーディングカード５、カードスリーブ１を入れて使用するものとする。
【産業上の利用可能性】
【００１６】本考案は凹凸付きカードスリーブを製造する産業で利用される。
【符号の説明】
【００１７】１カードスリーブ
２カードスリーブ（内）
３綴じ部
３ａ綴じ部
４エンボス表面
５トレーディングカード
６トレーディングカード開口部